(57)【特許請求の範囲】
【請求項１】
パイプ、ケーブル等を収納する空間及びこれらの保守点検空間より成る施設空間３を備えた断面円形の地中スペース２において、該地中スペース２を該施設空間３と、該施設空間３の下方に隔離して排水管９を収納する排水路収納部４に区画した構造であって、該排水路収納部４の上面に該排水管９の点検孔１３及び該排水管９と連結管２０で連結し該地中スペースの内壁基部に集水枡１２、該排水路収納部４の内部に排水ポンプ１５及び排気筒１４を設けると共に、該施設空間３を内壁基部の両側に配した該集水枡１２より内方に設けた仕切板２１で仕切ったことを特徴とする地下共同スペース。
【発明の詳細な説明】
【０００１】
【発明の属する技術分野】
本発明は、断面円形の地下共同スペースの改良に関するものである。
【０００２】
【従来の技術】
地下共同スペースとは、電話線、電力線等のケーブルや、水道管、ガス管、下水道管、地域暖房用温水管等の複数種の管等を収納すると共にこれらの保守点検空間を備えた、地中に設けた施設空間をいう。これは、所謂共同溝と呼ばれるものがその代表的なものである。
【０００３】
これらの管等は、地下共同スペースの内部に設けられた棚等を利用して設けたり、規模の大きいものの場合には収容物件を各占用者ごとに隔壁を設けて独立させて収納している。一般的に地下共同スペースは複数の竪孔間に設けられ、該竪孔部分でケーブルや管路の導入や引き出しを行ったり、地下共同スペース内の排水を排出させたりする。また、家屋、店舗、工場、ビル等へのケーブルや管路管路等の分岐や引き出しするために、地下共同スペースの適宜箇所に分岐部が設けられる。
【０００４】
地下共同スペースの主な目的は、ケーブルや上下水道管などの地下埋設物件を一括して地下に収容することにより、路面の掘り返しに起因する交通障害や沿道住民に与える障害をなくし、舗装の耐久性を増し、さらにこれら収容物件の維持管理や増設を容易にする点にある。これらのことから、都市部における地下共同スペースの建設工法として、シールド工法や管を押し込んで形成する所謂押管工法などによって、地中に断面円形の構築物を形成し、その内部空間を収容物件の収納空間とする方法が一般的に行われている。
【０００５】
【発明が解決しようとする課題】
しかしながら、このような地下共同スペースに共通する問題点として、亀裂による漏水や竪孔や分岐部などのマンホールから雨水の入り込みなどの浸透水や外部から流入する水の問題がある。従来では、排水ピットや排水ポンプなどを設置することによって対処していたものの、排水路等から生じる湿気の問題に何ら対処していないのが現状であり、ケーブルや各種管路が腐食しやすくなる欠点があった。
【０００６】
【課題を解決するための手段】
そこで本発明者はこうした点に鑑み、雨水や漏水からケーブルや管路を効果的に守るための構造物として本発明を成したものであり、その特徴とするところは、パイプ、ケーブル等を収納する空間及びこれらの保守点検空間より成る施設空間３を備えた断面円形の地中スペース２において、該地中スペース２を該施設空間３と、該施設空間３の下方に隔離して排水管９を収納する排水路収納部４に区画した構造であって、該排水路収納部４の上面に該排水管９の点検孔１３及び該排水管９と連結管２０で連結し該地中スペースの内壁基部に集水枡１２、該排水路収納部４の内部に排水ポンプ１５及び排気筒１４を設けると共に、該施設空間３を内壁基部の両側に配した該集水枡１２より内方に設けた仕切板２１で仕切ったことにある。
【０００７】
ここで、本明細書中でいう「施設空間」とは、ケーブルや管路などを収容する空間及びこれらを保守点検する空間を総称するもので、断面円形に形成した共同溝の主要構成部位をいう。地中スペースとしては、φ６００以上の大きさであればよく、地下鉄や地下車道などの大規模の施設空間を備えたものも含むものとする。
【０００８】
「排水路収納部」とは、地中スペース内の空間において、上記施設空間から隔離して、該地中スペース内の雨水や漏水等を排水するための排水路を収容する部分をいう。この場合の隔離とは、排水路からの湿気を施設空間に極力侵入させないようにすることが目的である。このため、本発明においては排水路として排水管を用いる。排水管を設ける排水路収納部は、コンクリート、鉄板、プラスチック板などで仕切って隔離する。
【０００９】
施設空間との仕切面である排水路収納部の上面には、施設空間に侵入した水を排水管に導入させるための集水枡を内壁基部に設け、且つ排水管の点検孔を設ける。また、排水路収納部の内部には、排水を地中スペースから外部に送り出すための排水ポンプや排水路収納部内の湿気を外部に排出させる排気筒を設ける。さらに、本発明においては、施設空間を内壁基部の両側に配した該集水枡１２より内方に設けた仕切板で仕切っている。
【００１０】
【発明の実施の形態】
以下、本発明を発明の実施の形態に基づいて詳細に説明する。
【００１１】
図１（ａ）（ｂ）は、本発明に係る地下共同スペース１の実施の形態の一例を概略的に示すもので、シールド工法によって形成された断面円形状の構築物である地中スペース２の上部に施設空間３、下部に該施設空間３と隔離した排水路収納部４を配したものである。施設空間３には、従来の共同溝のように電話線や電力線等のケーブル５、上下水道管、ガス管、地域暖房用温水管等の複数種の管６を収納し、且つこれらの保守点検空間７を備えたものである。この施設空間３と仕切壁８で隔離した排水路収納部４には、施設空間３に侵入した水を排出させるための排水管９を設けている。地中スペース２は、基本的に一層の円断面層で形成するが、本例ではセグメントより成る一次覆工層１０、鉄筋コンクリートより成る二次覆工層１１で構成した例を示している。
【００１２】
排水路収納部４を施設空間３から隔離する仕切壁８には、施設空間３に浸入した水を排水管９に導入させる集水枡１２と、該排水管９の点検孔１３を設けている。施設空間３に侵入した水は、内壁基部に設けた集水枡１２から連結管２０を通じて排水管９に導入される。そして、施設空間３は底面に露出する集水枡１２を隔離するため、該集水枡１２の内方に仕切板２１を設けて仕切っている。また、排水路収納部４には、その内部の湿気を外部に排出させる排気筒１４と、排水管９の排水を外部に排出させる排水ポンプ１５を設けている。
【００１３】
一般的な地下共同スペースは、図２に示すように複数の竪孔１６間に設けられ、また、適宜箇所にビル、家屋、店舗などにケーブル５等を分岐させるための分岐部１７が設けられている。竪孔１６は、図３（ａ）のように地下共同スペース１の断面形状を含む大きさであり、頂部にマンホール１８を備えている。また、ガス管や水道管、電力線や電話線などのケーブルを引き出しや、導入のための孔１９を設けている。本例では、孔１９は竪孔１６の側壁や頂壁に設けているが、底壁などにも設けてもよく、特に限定するものではない。
【００１４】
分岐部１７は、同図（ｂ）では地下共同スペース１の側部に設けているが、該地下共同スペース１の上側や下側、或いは竪孔１６のように全体を覆う大きさとしてもよく、ケーブル５等の引き出し箇所も限定するものではない。通常、排水路収納部４内に設けた排水管９からの排水や排水路収納部４内の排気筒１４による排気は、竪孔１６や分岐部１７を通じて外部に排出される。
【００１５】
排水路収納部４と施設空間３との境界は、施設空間３内の排水を容易にするために、図４のように地中スペース２の周壁の基部に設けた集水枡１２に流れ込みやすくするように中央部を高くした凸状にしてもよい。
【００１６】
また、図５のように施設空間３を仕切壁８で複数階に区画した場合には、各階に集水枡１２を設け、各集水枡１２を夫々連結管２０で排水管９に連結して排水させるようにする。施設空間３の各階の床面は、上述したような凸状や凹状にして排水効率を高める構造にしてもよい。
【００１７】
【発明の効果】
以上詳細に説明したように本発明に係る地下共同スペースは、パイプ、ケーブル等を収納する空間及びこれらの保守点検空間より成る施設空間３を備えた断面円形の地中スペース２において、該地中スペース２を該施設空間３と、該施設空間３の下方に隔離して排水管９を収納する排水路収納部４に区画した構造であって、該排水路収納部４の上面に該排水管９の点検孔１３及び該排水管９と連結管２０で連結し該地中スペースの内壁基部に集水枡１２、該排水路収納部４の内部に排水ポンプ１５及び排気筒１４を設けると共に、該施設空間３を内壁基部の両側に配した該集水枡１２より内方に設けた仕切板２１で仕切ったことを特徴とするものであり、地中スペース内のパイプ、ケーブル等を収納した施設空間を、排水機能を備えた排水路収納部と隔離したこと。そして、該施設空間内に浸入した水は集水枡から連結管を通じて排水管に導入し、該施設空間から遮断して排水させること。また、排気筒で排水路収納部内の湿気を排気させること。さらには、施設空間を排水枡から仕切板で仕切ったことにより、収納施設に及ぼす悪影響を大幅に低下させることができるという極めて有益な効果を有するものである。
【図面の簡単な説明】
【図１】  本発明に係る地下共同スペースの実施の形態の一例を示すもので、（ａ）は概略縦断面図、（ｂ）は概略横断面図である。
【図２】  地下共同スペースの一般的な敷設例を示す概略横断面図である。
【図３】  （ａ）は図２の竪孔部分の概略縦断面図、（ｂ）は図２の分岐部部分の概略縦断面図である。
【図４】  本発明に係る地下共同スペースの実施の形態の他の例を示す概略縦断面図である。
【図５】  本発明に係る地下共同スペースの実施の形態のさらに他の例を示す概略縦断面図である。
【符号の説明】
１  地下共同スペース
２  地中スペース
３  施設空間
４  排水路収納部
５  ケーブル
６  管
７  保守点検空間
８  仕切壁
９  排水管
１０  一次覆工層
１１  二次覆工層
１２  集水枡
１３  点検孔
１４  排気筒
１５  排水ポンプ
１６  竪孔
１７  分岐部
１８  マンホール
１９  孔
２０  連結管
２１  仕切板
【図１】
0003684438.tif 000002
【図２】
0003684438.tif 000003
【図３】
0003684438.tif 000004
【図４】
0003684438.tif 000005
【図５】
0003684438.tif 000006